(57)【要約】【課題】山型の形状のブラシ部を備えた歯ブラシの毛の強度のばらつきを歯ブラシ全体として小さくすることができる歯ブラシを提供する。【解決手段】歯ブラシ１０は、ヘッド部１２の植毛面２０が、先端に向かうに伴って上昇する第１傾斜面２０ａとその第１傾斜面２０ａに続いて先端に向かうに伴って下降する第２傾斜面２０ｂとの連なりによって山型に形成され、ヘッド部１２に植毛された複数の毛束２２の先端が、第１傾斜面２０ａおよび第２傾斜面２０ｂの連なりに沿って山型とされていることから、ヘッド部１２の形状が山型でない場合に比べて、ブラシ部１４の形状が山型となるように植毛された毛束２２の長い毛束と短い毛束との長さの差が小さくなるので、毛２４の強度のばらつきを歯ブラシ１０全体として小さくすることができる。【選択図】図２
2012075725.tif 000002
【特許請求の範囲】
【請求項１】
複数の毛束が植毛されたヘッド部が先端に設けられ且つ把持部が基端に設けられた長手状の歯ブラシであって、
前記ヘッド部の植毛面は、先端に向かうに伴って上昇する第１傾斜面と該第１傾斜面に続いて先端に向かうに伴って下降する第２傾斜面との連なりによって山型に形成され、
前記ヘッド部に植毛された複数の毛束の先端は、前記第１傾斜面および第２傾斜面の連なりに沿って山型とされていることを特徴とする歯ブラシ。
【請求項２】
前記ヘッド部に植毛された複数の毛束の先端は、前記植毛面と平行とされていることを特徴とする請求項１の歯ブラシ。
【請求項３】
前記ヘッド部は、前記第１傾斜面と前記第２傾斜面との境界部分が最大高さとされ、該境界部分から前記長手方向に離れるほど低くされていることを特徴とする請求項１の歯ブラシ。
【請求項４】
前記複数の毛束は、植毛長さ又は径が異なる２種類の毛を含む束からそれぞれ構成されていることを特徴とする請求項１乃至３のいずれか１の歯ブラシ。
【請求項５】
前記複数の毛束は、相互に植毛長さ又は径が異なる２種類の毛のうちの一方の毛の束および他方の毛の束からそれぞれ構成されていることを特徴とする請求項１乃至３のいずれか１の歯ブラシ。
【請求項６】
前記複数の毛束は、先端に向かうほど小径となるように形成された長毛と、該長毛よりも短く且つ先端形状が球面又は平面となるように形成された短毛とから構成されていることを特徴とする請求項４又は５の歯ブラシ。
【発明の詳細な説明】
【技術分野】
【０００１】
本発明は、生体の口腔内の清掃を行うための歯ブラシに関するものである。
【背景技術】
【０００２】
一般に、歯ブラシは、複数本の毛を束ねた毛束と毛束が植毛されたヘッド部、歯ブラシを把持するための把持部、およびそのヘッド部と把持部との間を連結する断面積が小さいネック部で構成されている。毛束を植毛する方法としては、たとえば、毛束の一端を加熱して溶融し、その加熱溶融した側の端部をヘッド部に設けた植毛穴へ挿入し、ヘッド部に溶着する方法や、特許文献１に示すような、複数の毛を束ねた毛束を２つ折りにして、折り目部分を、平線によってヘッド部の植毛穴に固定する方法などがある。上記特許文献１に示す植毛方法は、折り目の位置を調節することにより、毛束の一端と他端との間に段差をつけて二段植毛状態とすることができるとともに、植毛する前に毛先加工をしておくことで各毛先の形状の自由度を高くすることができる。
【０００３】
歯ブラシは、歯面に付着した歯垢を除去するなど口腔内の清掃を行うことを主たる目的として使用される。歯垢の除去に大きな影響を与えるのがブラシ部の形状、特に、ヘッド部に植毛された複数の毛束の先端を結ぶ面の形状である。生産されている歯ブラシの複数の毛束の先端を結ぶ面の形状を大別すると、歯ブラシを側面側から見た形状が、直線型、凸彎型、凹彎型などがある。これらのブラシ部の複数の毛束の先端を結ぶ面の形状には改善すべき点があり、直線型の場合、凸曲面や凹部を有する臼歯および前歯や歯間部などとの接触が悪く、清掃力が劣る。また、凸彎型、凹彎型の場合、舌側の歯面と頬側の歯面のうち一方は清掃しやすいが、もう一方は清掃しにくい。
【０００４】
これらの改善すべき点を改善した形状のブラシ部を備えた歯ブラシとして、例えば、特許文献２に示すような、歯ブラシのヘッド部の長さ方向における毛束列上端部の側面形状が、全体として中央部の毛束の上端部を頂点部分とする三角形状となるような山型の形状のブラシ部を備えた歯ブラシが提案されている。この歯ブラシを使用すれば、歯冠と歯冠との間の歯間部や歯冠の付け根部分である歯頸部などの、歯ブラシの毛束が到達しにくく磨きにくい部位を確実に磨くことができ、高い清掃効果を得ることができる。また、特許文献３に示すような、側面形状が、富士山のような山型の形状のブラシ部を備えた歯ブラシが提案されている。この歯ブラシを使用すれば、通常の磨き方で正常歯列だけでなく不正歯列の人にも、あるいは矯正治療中で装置を装着している人でも、歯肉が腫れている人でも口腔内の歯面、歯間部、歯頸部、咬合面、歯周ポケット内の清掃を痛がらずに１本の歯ブラシで効率的に行うことができる。
【先行技術文献】
【特許文献】
【０００５】
【特許文献１】特開２０１０−１５４９００号公報
【特許文献２】特開２００６−２３９０４５号公報
【特許文献３】実用新案登録第３１４３２３９号公報
【発明の概要】
【発明が解決しようとする課題】
【０００６】
しかしながら、これらの山型形状のブラシ部を備えた歯ブラシは、接触時間が最も長い一番標高の高い部分つまり山型の頂点部分の毛の長さが最も長いため剛性が弱くなるので、曲がりくせがつきやすく、ブラシ部の形状が山型以外の形状である歯ブラシと比較して、使用可能期間が短かった。
【０００７】
本発明は以上の事情を背景として為されたものであり、その目的とするところは、山型の形状のブラシ部を備えた歯ブラシの毛の強度のばらつきを歯ブラシ全体として小さく、より好ましくは毛の強度を歯ブラシ全体として均一にすることができる歯ブラシを提供することにある。
【課題を解決するための手段】
【０００８】
かかる目的を達成するために、本第１発明の要旨とするところは、（ａ）複数の毛束が植毛されたヘッド部が先端に設けられ且つ把持部が基端に設けられた長手状の歯ブラシであって、（ｂ）前記ヘッド部の植毛面は、先端に向かうに伴って上昇する第１傾斜面と該第１傾斜面に続いて先端に向かうに伴って下降する第２傾斜面との連なりによって山型に形成され、前記ヘッド部に植毛された複数の毛束の先端は、前記第１傾斜面および第２傾斜面の連なりに沿って山型とされていることにある。
【発明の効果】
【０００９】
このように、前記第１発明によれば、前記ヘッド部の植毛面は、先端に向かうに伴って上昇する第１傾斜面と該第１傾斜面に続いて先端に向かうに伴って下降する第２傾斜面との連なりによって山型に形成され、前記ヘッド部に植毛された複数の毛束の先端は、前記第１傾斜面および第２傾斜面の連なりに沿って山型とされているものである。このようにすれば、ヘッド部の形状が山型でない場合に比べて、ブラシ部の形状が山型となるように植毛された毛束の長い毛束と短い毛束との長さの差が小さくなるので、毛の強度のばらつきを歯ブラシ全体として小さくすることができる。
【００１０】
ここで、好適には、前記ヘッド部に植毛された複数の毛束の先端は、前記植毛面と平行とされている。このようにすれば、全体として毛の長さが同じになるので、毛の硬さも同じになり、毛の強度を全体として均一にすることができる。
【００１１】
また、好適には、前記ヘッド部は、前記第１傾斜面と前記第２傾斜面との境界部分が最大高さとされ、該境界部分から前記長手方向に離れるほど低くされている。このようにすれば、ヘッド部の形状が山型でない場合に比べて、ブラシ部の形状が山型となるように植毛された毛束の長い毛束と短い毛束との長さの差が小さくなるので、毛の強度のばらつきを歯ブラシ全体として小さくすることができる。また、植毛後に毛をカットしなくとも山型の形状のブラシ部を形成することができるので、二段植毛を適用することができる。
【００１２】
また、好適には、前記複数の毛束は、植毛長さ又は径が異なる２種類の毛を含む束からそれぞれ構成されている。このようにすれば、１種類の毛では毛先が接しにくいような歯間部や歯頸部などに毛先が到達しやすくなるので、口腔内をより清潔に清掃することができる。
【００１３】
また、好適には、前記複数の毛束は、相互に植毛長さ又は径が異なる２種類の毛のうちの一方の毛の束および他方の毛の束からそれぞれ構成されている。このようにすれば、１種類の毛では毛先が接しにくいような歯間部や歯頸部などに毛先が到達しやすくなるので、口腔内をより清潔に清掃することができる。
【００１４】
また、好適には、前記複数の毛束は、先端に向かうほど小径となるように形成された長毛と、該長毛よりも短く且つ先端形状が球面又は平面となるように形成された短毛とから構成されている。このようにすれば、長毛と短毛の長さの違いによって長毛が歯周ポケットを清掃するのと同時に、短毛が歯頸部を清掃することができるとともに、長毛と短毛の先端形状の違いによって長毛が歯周ポケットの清掃に適し、短毛が歯頸部の清掃に適するので、効率良く短時間で口腔内を清掃することができる。
【図面の簡単な説明】
【００１５】
【図１】本発明の一実施例の歯ブラシを示す側面図である。
【図２】図１の実施例の歯ブラシのブラシ部を拡大して示した側面図である。
【図３】図２の歯ブラシのブラシ部のIII −III 視断面図である。
【図４】図１の実施例の歯ブラシのヘッド部に毛束を植毛する方法を説明するためにブラシ部の一部を拡大して示した拡大断面図である。
【図５】図１の実施例の歯ブラシの毛束を構成する毛の一端側である長毛を示す図である。
【図６】図１の実施例の歯ブラシの毛束を構成する毛の他端側である短毛を示す図である。
【図７】図１の実施例の歯ブラシの他の態様を示す歯ブラシのブラシ部の側面図であり、図２に相当する図である。
【図８】図７の態様の歯ブラシのヘッド部に毛束が植毛された状態を示すためにブラシ部の一部を拡大して示した拡大断面図であって、図４に対応する図である。
【図９】図１の実施例の歯ブラシの他の態様を示す歯ブラシのブラシ部の側面図であり、図２に相当する図である。
【図１０】図１の実施例の歯ブラシの他の態様を示す歯ブラシのブラシ部の視断面図であり、図３に相当する図である。
【図１１】図１の実施例の歯ブラシの他の態様を示す歯ブラシのブラシ部の視断面図であり、図３に相当する図である。
【発明を実施するための形態】
【００１６】
以下、本発明の一実施例を、図面を参照しつつ説明する。
【実施例１】
【００１７】
図１は、歯ブラシ１０の側面図であり、図２は図１の歯ブラシ１０のブラシ部１４を拡大して示した側面図であり、図３は図２のIII −III 視断面図である。歯ブラシ１０は、複数本の毛２４を束ねた複数の毛束２２と複数の毛束２２が植毛面２０に植毛されたヘッド部１２とからなるブラシ部１４、歯ブラシ１０を把持するための把持部１８、およびヘッド部１２と把持部１８とを連結する小断面積のネック部１６で構成されている。ヘッド部１２は、複数の毛束２２を植毛するための植毛面２０を有し、図２に示すようにその植毛面２０は歯ブラシ１０の長手方向においてネック部１６側からヘッド部１２の先端に向うに伴って上昇する第１傾斜面２０ａと第１傾斜面２０ａに続いてヘッド部１２の先端に向かうに伴って下降する第２傾斜面２０ｂとから山型に形成されており、第１傾斜面２０ａと第２傾斜面２０ｂとの境目に第１傾斜面２０ａと第２傾斜面２０ｂとの連なりによって山型が形成されている。また、図３に示すように植毛面２０は歯ブラシ１０の幅方向においてヘッド部１２の厚みおよび毛束２２の長さが均一となるように形成されている。本実施例において、ヘッド部１２の植毛面２０の第１傾斜面２０ａおよび第２傾斜面２０ｂには、歯ブラシ１０の長手方向において図４に示すような形状の植毛穴２６が各５列形成されており、各植毛穴２６に１束ずつ毛束２２を植毛することにより、ヘッド部１２と複数の毛束２２とからなるブラシ部１４が形成されている。
【００１８】
毛束２２は、両端の形状が異なる毛２４を複数本束ねて形成されており、その毛２４の一端側は、先端に向かうほど小径となるような加工がされ、他端側は、何も加工されておらず、半球面又は平坦面の端面に形成されている。複数の毛束２２は、歯ブラシ１０全体を通して同一形状の毛２４から形成されており、図４を用いて説明する方法によってヘッド部１２に植毛されることで、ヘッド部１２に植毛された複数の毛束２２の先端を結ぶ面ｐは、植毛面２０を形成する第１傾斜面２０ａと第２傾斜面２０ｂと平行となり、複数の毛束２２の先端の山型は第１傾斜面２０ａと第２傾斜面２０ｂとの連なりによって形成される山型に沿った形状となるので、ブラシ部１４の形状がヘッド部１２の山型と同様の形状となる。
【００１９】
図４は、図１の歯ブラシ１０のヘッド部１２に毛束２２を植毛する方法を説明するためにブラシ部１４の一部を拡大して示した拡大断面図である。毛束２２は、２つ折りに折り畳んだ状態で植毛され、毛束２２の折り目２２ａは、毛束２２の両端から折り目２２ａまでの長さが所望の長さになるような位置で毛束２２を２つ折りに折り畳むことによって形成されている。毛束２２は、折り目２２ａから毛束２２の一端までの長さと他端までの長さが異なる二段植毛状態にて植毛されており、本実施例では、長さが長い方がヘッド部１２の植毛面２０の第１傾斜面２０ａと第２傾斜面２０ｂとの境目側となるような状態で折り目２２ａが植毛穴２６に挿入されている。挿入後に、金属片や合成樹脂片などからなる平線から切断した矩形片２８を折り目２２ａに向けて押入することで、毛束２２が植毛穴２６内に固定されることにより、毛束２２は植毛される。毛束２２を構成する毛２４は、折り目２２ａからの長さが長い方を長毛２４ａ、短い方を短毛２４ｂとすると、長毛２４ａに前述で説明した先端に向かうほど小径となるような加工がされている。複数の毛束２２は、各毛束２２の同じ位置に折り目２２ａが形成されており、１種類の毛２４で毛束２２が構成されているので、各長毛２４ａの折り目２２ａからの長さは同じであり、同様に、各短毛２４ｂの折り目２２ａからの長さも同じである。
【００２０】
植毛穴２６は、折り畳んだ毛束２２に対応する形状でヘッド部１２に複数形成されている。すなわち、植毛穴２６の形状は、毛束２２を構成する毛２４の太さや本数および矩形片２８の形状に合わせて形成される。矩形片２８は、直方体形状をしており、毛束２２が植毛穴２６から抜けないように、矩形片２８の図４における図面手前側および奥側の面を植毛穴２６の内周面と面接触させ、図面下側の面で折り目２２ａを開口側から押さえるように押入される。
【００２１】
図５は、図４の歯ブラシ１０の毛束２２を構成する毛２４の長毛２４ａを示す図である。長毛２４ａへ行った先端に向かうほど小径となるような加工は、毛束２２を植毛穴２６に植毛する前に、アルカリなどの薬剤に各毛２４の一端を浸すことで行われるものである。
【００２２】
図６は、図４の歯ブラシ１０の毛束２２を構成する毛２４の短毛２４ｂを示す図である。短毛２４ｂは、毛に何も加工をしていない状態である。すなわち、短毛２４ｂの断面形状は先端からの距離に関わらず同じであり、先端は毛の長さを切り揃えたときの切り口のままである。
【００２３】
上述のように、本実施例の歯ブラシ１０によれば、ヘッド部１２の植毛面２０は、先端に向かうに伴って上昇する第１傾斜面２０ａとその第１傾斜面２０ａに続いて先端に向かうに伴って下降する第２傾斜面２０ｂとの連なりによって山型に形成され、ヘッド部１２に植毛された複数の毛束２２の先端は、第１傾斜面２０ａおよび第２傾斜面２０ｂの連なりに沿って山型とされているものである。このようにすれば、ヘッド部１２の形状が山型でない場合に比べて、ブラシ部１４の形状が山型となるように植毛された毛束２２の長い毛束と短い毛束との長さの差が小さくなるので、毛２４の強度のばらつきを歯ブラシ１０全体として小さくすることができる。
【００２４】
また、本実施例の歯ブラシ１０によれば、ヘッド部１２に植毛された複数の毛束２２の先端ｐは、植毛面２０と平行とされている。このようにすれば、全体として各長毛２４ａまたは各短毛２４ｂの長さが同じになるので、各長毛２４ａまたは各短毛２４ｂの硬さも同じになり、各長毛２４ａまたは各短毛２４ｂの強度を歯ブラシ１０全体として均一にすることができる。
【００２５】
また、本実施例の歯ブラシ１０によれば、ヘッド部１２は、第１傾斜面２０ａと第２傾斜面２０ｂとの境界部分が最大高さとされ、その境界部分から長手方向に離れるほど低くされている。このようにすれば、ヘッド部１２の形状が山型でない場合に比べて、ブラシ部１４の形状が山型となるように植毛された毛束２２の長い毛束と短い毛束との長さの差が小さくなるので、毛２４の強度のばらつきを歯ブラシ１０全体として小さくすることができる。また、植毛後に毛２４をカットしなくとも山型の形状のブラシ部１４を形成することができるので、二段植毛を適用することができる。
【００２６】
また、本実施例の歯ブラシ１０によれば、複数の毛束２２は、植毛長さ又は径が異なる長毛２４ａおよび短毛２４ｂの２種類の毛を含む束からそれぞれ構成されている。このようにすれば、１種類の毛では毛先が接しにくいような歯間部や歯頸部などに毛先が到達しやすくなるので、口腔内をより清潔に清掃することができる。
【００２７】
また、本実施例の歯ブラシ１０によれば、複数の毛束２２は、相互に植毛長さ又は径が異なる長毛２４ａおよび短毛２４ｂの２種類の毛のうちの一方の毛の束および他方の毛の束からそれぞれ構成されている。このようにすれば、１種類の毛では毛先が接しにくいような歯間部や歯頸部などに毛先が到達しやすくなるので、口腔内をより清潔に清掃することができる。
【００２８】
また、本実施例の歯ブラシ１０によれば、複数の毛束２２は、先端に向かうほど小径となるように形成された長毛２４ａと、その長毛２４ａよりも短く且つ先端形状が球面又は平面となるように形成された短毛２４ｂとから構成されている。このようにすれば、長毛２４ａと短毛２４ｂの長さの違いによって長毛２４ａが歯周ポケットを清掃するのと同時に、短毛２４ｂが歯頸部を清掃することができるとともに、長毛２４ａと短毛２４ｂの先端形状の違いによって長毛２４ａが歯周ポケットの清掃に適し、短毛２４ｂが歯頸部の清掃に適するので、効率良く短時間で口腔内を清掃することができる。
【００２９】
次に、本発明の他の実施例について説明する。なお、以下の実施例の説明において、実施例相互に共通する部分については、同一の符号を付してその説明を省略する。
【実施例２】
【００３０】
図７は、本発明の他の実施例における歯ブラシ３０を示す図であって、前述の実施例１の図２に対応する図である。図７において、本実施例のブラシ部３２は、前述の実施例１における折り目２２ａから毛束２２の端までの長さが長い方が、ヘッド部１２の植毛面２０の第１傾斜面２０ａと第２傾斜面２０ｂとの境目側となるような状態で折り目２２ａが植毛穴２６に挿入されていたブラシ部１４に代えて、毛束２２を９０°回転させて、長い方が歯ブラシ３０の側面側であって、図７における歯ブラシ３０のブラシ部３２の図面手前側となるように植毛される。その他の部分は同様に構成されている。
【００３１】
図８は、図７の歯ブラシ３０のヘッド部１２に毛束２２が植毛された状態を示すためにブラシ部３２の一部を拡大して示した拡大断面図であって、前述の実施例１における図４に対応する図である。
【００３２】
本実施例の歯ブラシ３０において、ブラシ部３２は前述の実施例と同様に第１傾斜面２０ａおよび第２傾斜面２０ｂから形成される植毛面２０を有し、ヘッド部１２に植毛された複数の毛束２２の先端を結ぶ面ｐが山型に形成されているので、前述の実施例と同様の効果が得られる。
【実施例３】
【００３３】
図９は、本発明の他の実施例における歯ブラシ４０を示す図であって、前述の実施例１の図２に対応する図である。図９において、本実施例のブラシ部４４のヘッド部４２は、前述の実施例１における植毛面２０のヘッド部１２の厚み方向裏側の面がネック部１６からヘッド部１２の先端へ向ってまっすぐ伸びるように形成されたヘッド部１２に代えて、植毛面２０のヘッド部４２の厚み方向裏側の面が、ヘッド部４２の厚みがネック部１６側からヘッド部４２の先端まで略均一の厚みに形成されたものである。その他の部分は同様に構成されている。
【００３４】
本実施例の歯ブラシ４０において、ブラシ部４４は前述の実施例と同様に第１傾斜面２０ａおよび第２傾斜面２０ｂから形成される植毛面２０を有し、ヘッド部４２に植毛された複数の毛束２２の先端を結ぶ面ｐが山型に形成されているので、前述の実施例と同様の効果が得られる。更に、ヘッド部４２は実施例１および実施例２のヘッド部１２に比べて厚みが薄いので、ひけによる凹みがなくより軽量に山型のヘッド部を有する歯ブラシを製造することができる。
【実施例４】
【００３５】
図１０は、本発明の他の実施例における歯ブラシ５０を示す図であって、前述の実施例１の図３に対応する図である。図１０において、本実施例のブラシ部５２は、前述の実施例１における毛束２２の長さが歯ブラシ１０の幅方向において均一となるように毛束２２が植毛されたブラシ部１４に代えて、歯ブラシ５０の幅方向において両端から中心に向うに伴って毛束の長さが長くなるように毛束が植毛された山型形状のものである。その他の部分は同様に構成されている。
【００３６】
本実施例の歯ブラシ５０において、ブラシ部５２は前述の実施例と同様に第１傾斜面２０ａおよび第２傾斜面２０ｂから形成される植毛面２０を有し、ヘッド部１２に植毛された複数の毛束２２の先端を結ぶ面ｐが山型に形成されているので、前述の実施例と同様の効果が得られる。更に、幅方向においてもヘッド部１２に植毛された複数の毛束の先端を結ぶ面は山型に形成されているので、歯ブラシの毛先が到達しにくく磨きにくい部位をより確実に磨くことができ、口腔内をより清潔に清掃することができる。
【実施例５】
【００３７】
図１１は、本発明の他の実施例における歯ブラシ６０を示す図であって、前述の実施例１の図３に対応する図である。図１１において、本実施例のブラシ部６４のヘッド部６２は、前述の実施例１におけるヘッド部１２の厚みが歯ブラシ１０の幅方向において均一となるように形成された植毛面２０を有するブラシ部１４のヘッド部１２に代えて、歯ブラシ６０の幅方向においてヘッド部６２の一端から他端に向うに伴って上昇する第１幅方向傾斜面６６ａａ（第３幅方向傾斜面６６ｂａ）と第１幅方向傾斜面６６ａａ（第３幅方向傾斜面６６ｂａ）に続いてヘッド部６２の他端に向かうに伴って下降する第２幅方向傾斜面６６ａｂ（第４幅方向傾斜面６６ｂｂ）とから山型に形成されており、第１幅方向傾斜面６６ａａ（第３幅方向傾斜面６６ｂａ）と第２幅方向傾斜面６６ａｂ（第４幅方向傾斜面６６ｂｂ）との境目に第１幅方向傾斜面６６ａａ（第３幅方向傾斜面６６ｂａ）と第２幅方向傾斜面６６ａｂ（第４幅方向傾斜面６６ｂｂ）との連なりによって山型が形成されている植毛面６６を有するものである。その他の部分は同様に構成されている。なお、以下において前述の実施例の第１傾斜面２０ａに相当する植毛面６６の第１幅方向傾斜面６６ａａおよび第２幅方向傾斜面６６ａｂからなるものを第１傾斜面６６ａとし、前述の実施例の第２傾斜面２０ｂに相当する植毛面６６の第３幅方向傾斜面６６ｂａおよび第４幅方向傾斜面６６ｂｂからなるものを第２傾斜面６６ｂとする。
【００３８】
本実施例の歯ブラシ６０において、ブラシ部６４は前述の実施例と同様に第１傾斜面６６ａおよび第２傾斜面６６ｂから形成される植毛面６６を有し、ヘッド部６２に植毛された複数の毛束の先端を結ぶ面ｐが歯ブラシ６０の長手方向において山型に形成されているので、前述の実施例と同様の効果が得られる。更に、幅方向においてもヘッド部６２に植毛された複数の毛束の先端を結ぶ面は山型に形成されているので、歯ブラシ６０の毛先が到達しにくく磨きにくい部位をより確実に磨くことができ、口腔内をより清潔に清掃することができる。また、幅方向においてヘッド部の形状が山型でない実施例４の歯ブラシ５０に比べて、ブラシ部６４の形状が幅方向において山型となるように植毛された毛束２２の長い毛束と短い毛束との長さの差が小さくなるので、毛２４の強度のばらつきを歯ブラシ１０全体として小さくすることができる。
【００３９】
以上、本発明の実施例を図面を参照して詳細に説明したが、本発明は更に別の態様でも実施される。
【００４０】
例えば、前述の実施例の歯ブラシ１０、３０、４０、５０、６０において、ヘッド部１２、４２、６２の植毛面２０、６６の第１傾斜面２０ａ、６６ａおよび第２傾斜面２０ｂ、６６ｂには、歯ブラシ１０、３０、４０、５０、６０の長手方向において植毛穴２６が各５列形成されていたが、列の数はその数に限られず、また、第１傾斜面２０ａ、６６ａと第２傾斜面２０ｂ、６６ｂとの植毛穴２６の列数が同数でなくてもよい。
【００４１】
また、前述の実施例の歯ブラシ１０、３０、４０、５０、６０のヘッド部１２、４２、６２の植毛面２０、６６は、先端に向かうに伴って上昇する第１傾斜面２０ａ、６６ａと第１傾斜面２０ａ、６６ａに続いて先端に向うに伴って下降する第２傾斜面２０ｂ、６６ｂとの連なりによって山型に形成されているが、それらの傾斜面の角度は自由に定めることができる。また、それらの傾斜面は直線状の面に限られず、カーブ状の凸面または凹面であってもよい。また、その山型は、たとえば、第１傾斜面２０ａ、６６ａと第２傾斜面２０ｂ、６６ｂとの間に平坦面が設けられた富士山型であってもよい。
【００４２】
また、前述の実施例の歯ブラシ１０、３０、４０、５０、６０のヘッド部１２、４２、６２の植毛面２０、６６は、歯ブラシ１０、３０、４０、５０、６０の長手方向において山型に形成されていたが、幅方向において山型に形成されてもよい。
【００４３】
また、前述の実施例の歯ブラシ１０、３０、４０、５０、６０の植毛方法は、前述の図４を用いて説明した方法に限られず、例えば、毛束２２を折り畳むことなく、毛束２２の一端を加熱して溶融し、その加熱溶融した側の端部をヘッド部１２、４２、６２に設けた植毛穴２６へ挿入し、ヘッド部１２、４２、６２に溶着するような方法であってもよい。
【００４４】
また、前述の実施例の歯ブラシ１０、３０、４０、５０、６０の毛束２２は、折り目２２ａから毛束２２の一端までの長さと他端までの長さが異なる二段植毛状態にて植毛されていたが、折り目２２ａから毛束２２の一端までの長さと他端までの長さを同じとする状態で植毛されてもよい。
【００４５】
また、前述の実施例の歯ブラシ１０、３０、４０、５０、６０の毛束２２の毛２４の長毛２４ａは、先端に向かうほど小径となるような形状に加工をし、短毛２４ｂは、何も加工をしていなかったが、長毛２４ａが歯周ポケットを清掃し、短毛２４ｂが歯頸部を清掃するように植毛されていれば、それ以外の形状に加工されていてもよい。
【００４６】
その他、一々例示はしないが、本発明はその趣旨を逸脱しない範囲で種々変更を加え得るものである。
【符号の説明】
【００４７】
１０、３０、４０、５０、６０：歯ブラシ
１２、４２、６２：ヘッド部
１８：把持部
２０、６６：植毛面
２０ａ、６６ａ：第１傾斜面
２０ｂ、６６ｂ：第２傾斜面
２２：毛束
２４：毛
２４ａ：長毛
２４ｂ：短毛
【図１】
2012075725.tif 000003
【図２】
2012075725.tif 000004
【図３】
2012075725.tif 000005
【図４】
2012075725.tif 000006
【図５】
2012075725.tif 000007
【図６】
2012075725.tif 000008
【図７】
2012075725.tif 000009
【図８】
2012075725.tif 000010
【図９】
2012075725.tif 000011
【図１０】
2012075725.tif 000012
【図１１】
2012075725.tif 000013